(57)【要約】【課題】津波流を受けても機能を維持することができる潜堤の構築方法を提供する。【解決手段】側方下方フレーム１５を、水流透過性面状部材２０が延びる水平方向が、想定される津波流が進行する方向と略直交するように捨石マウンド上に設置した後、前記側方下方フレーム１５の内側に中詰石１６を前記水流透過性面状部材２０を通過しないように上方から投入するとともに、前記捨石マウンド上にもさらに捨石を敷設して、投入した前記中詰石１６および敷設した前記捨石により前記側方下方フレーム１５の下部の周囲を覆って根入れをし、さらに、投入した前記中詰石１６が前記側方下方フレーム１５の上部から外に出ないように、前記側方下方フレーム１５の上部を水流透過性蓋部材２４で覆う。【選択図】図８
2014084698.tif 000002
【特許請求の範囲】
【請求項１】
海底に構築された捨石マウンドと、
少なくとも一部が該捨石マウンドに根入れされて該捨石マウンドと一体化したフレームと、
を備えた潜堤であって、
前記フレームは、複数の水流透過性面状部材をお互いに対向するように有するとともに、前記水流透過性面状部材が延びる水平方向と略直交する複数の壁体を有し、さらに上部には水流透過性蓋部材を有し、底部には水流透過性底部材を有しており、前記複数の水流透過性面状部材、前記複数の壁体、前記水流透過性蓋部材、および前記水流透過性底部材によって側方、上方、および下方を囲まれた空間を有し、
そして、前記フレームは、前記水流透過性面状部材の延びる水平方向が、想定される津波流が進行する方向と略直交するように前記捨石マウンドに配置されており、側方、上方、および下方を囲まれた前記空間には中詰石が前記水流透過性面状部材および前記水流透過性蓋部材を通過しないように充填されていることを特徴とする潜堤。
【請求項２】
側方、上方、および下方を囲まれた前記空間に充填された前記中詰石のうち、前記水流透過性面状部材に接する部位に充填された中詰石は該水流透過性面状部材を通過しない大きさであり、前記水流透過性蓋部材に接する部位に充填された中詰石は該水流透過性蓋部材を通過しない大きさであることを特徴とする請求項１に記載の潜堤。
【請求項３】
海底に構築された捨石マウンドと、
少なくとも一部が該捨石マウンドに根入れされて該捨石マウンドと一体化したフレームと、
を備えた潜堤であって、
前記フレームは、複数の水流透過性面状部材をお互いに対向するように有するとともに、上方向から見たときに前記水流透過性面状部材が延びる水平方向と略直交する複数の壁体を有し、さらに上部には水流透過性蓋部材を有しており、前記複数の水流透過性面状部材、前記複数の壁体、および前記水流透過性蓋部材によって側方および上方を囲まれた空間を有し、
そして、前記フレームは、前記水流透過性面状部材の延びる水平方向が、想定される津波流が進行する方向と略直交するように前記捨石マウンドに配置されており、側方および上方を囲まれた前記空間には中詰石が前記水流透過性面状部材および前記水流透過性蓋部材を通過しないように充填されていることを特徴とする潜堤。
【請求項４】
側方および上方を囲まれた前記空間に充填された前記中詰石のうち、前記水流透過性面状部材に接する部位に充填された中詰石は該水流透過性面状部材を通過しない大きさであり、前記水流透過性蓋部材に接する部位に充填された中詰石は該水流透過性蓋部材を通過しない大きさであることを特徴とする請求項３に記載の潜堤。
【請求項５】
前記壁体を前記水流透過性面状部材の延びる水平方向から見たときの形状は、底辺の方が上辺よりも長い略等脚台形であることを特徴とする請求項１〜４のいずれかに記載の潜堤。
【請求項６】
前記壁体は、想定される津波流が進行する方向と略平行に配置された棒状部材、および略鉛直方向に配置されて前記捨石マウンドに根入れされた棒状部材を少なくとも有してなることを特徴とする請求項１〜５のいずれかに記載の潜堤。
【請求項７】
前記壁体を構成する部材は棒状部材であり、トラス構造を形成していることを特徴とする請求項１〜６のいずれかに記載の潜堤。
【請求項８】
前記水流透過性面状部材は、所定の間隔を開けて配置された複数の棒状部材を有してなることを特徴とする請求項１〜７のいずれかに記載の潜堤。
【請求項９】
前記フレームは鋼製であることを特徴とする請求項１〜８のいずれかに記載の潜堤。
【請求項１０】
前記壁体を構成する部材は、内部にコンクリートが充填されている鋼管であることを特徴とする請求項１〜８のいずれかに記載の潜堤。
【請求項１１】
前記水流透過性面状部材を構成する部材には形鋼が含まれることを特徴とする請求項１〜１０のいずれかに記載の潜堤。
【請求項１２】
少なくとも一部が捨石マウンドに根入れされるように該捨石マウンド上にフレームを設置して潜堤を構築する潜堤の構築方法であって、
複数の水流透過性面状部材をお互いに対向するように有するとともに、前記捨石マウンド上に設置した状態において前記水流透過性面状部材が延びる水平方向と略直交する複数の壁体を有し、前記捨石マウンド上に設置した状態において上方向から見たときに水平面内に閉じた形状になっており、さらに前記捨石マウンド上に設置した状態において底部には水流透過性底部材を有し、かつ、上部は開放された側方下方フレームを、水流透過性面状部材が延びる前記水平方向が、想定される津波流が進行する方向と略直交するように前記捨石マウンド上に設置した後、
前記側方下方フレームの内側に中詰石を前記水流透過性面状部材を通過しないように上方から投入するとともに、前記捨石マウンド上にもさらに捨石を敷設して、投入した前記中詰石および敷設した前記捨石により前記側方下方フレームの下部の周囲を覆って根入れをし、
さらに、投入した前記中詰石が前記側方下方フレームの上部から外に出ないように、前記側方下方フレームの上部を水流透過性蓋部材で覆うことを特徴とする潜堤の構築方法。
【請求項１３】
前記側方下方フレームの内側に投入する前記中詰石のうち、前記水流透過性面状部材に接する部位に投入する中詰石は該水流透過性面状部材を通過しない大きさであり、前記水流透過性蓋部材に接する部位に投入する中詰石は該水流透過性蓋部材を通過しない大きさであることを特徴とする請求項１２に記載の潜堤の構築方法。
【請求項１４】
少なくとも一部が捨石マウンドに根入れされるように該捨石マウンド上にフレームを設置して潜堤を構築する潜堤の構築方法であって、
複数の水流透過性面状部材をお互いに対向するように有するとともに、前記捨石マウンド上に設置した状態において前記水流透過性面状部材が延びる水平方向と略直交する複数の壁体を有し、前記捨石マウンド上に設置した状態において上方向から見たときに水平面内に閉じた形状になっており、さらに前記捨石マウンド上に設置した状態において上部は開放された側方フレームを、前記水流透過性面状部材が延びる水平方向が、想定される津波流が進行する方向と略直交するように前記捨石マウンド上に設置した後、
前記側方フレームの内側に中詰石を前記水流透過性面状部材を通過しないように上方から投入するとともに、前記捨石マウンド上にもさらに捨石を敷設して、投入した前記中詰石および敷設した前記捨石により前記側方フレームの下部の周囲を覆って根入れをし、
さらに、投入した前記中詰石が前記側方フレームの上部から外に出ないように、前記側方フレームの上部を水流透過性蓋部材で覆うことを特徴とする潜堤の構築方法。
【請求項１５】
前記側方フレームの内側に投入する前記中詰石のうち、前記水流透過性面状部材に接する部位に投入する中詰石は該水流透過性面状部材を通過しない大きさであり、前記水流透過性蓋部材に接する部位に投入する中詰石は該水流透過性蓋部材を通過しない大きさであることを特徴とする請求項１４に記載の潜堤の構築方法。
【請求項１６】
前記中詰石を、シューターにより投入することを特徴とする請求項１２〜１５のいずれかに記載の潜堤の構築方法。
【発明の詳細な説明】
【技術分野】
【０００１】
本発明は、潜堤および潜堤の構築方法に関し、特に、津波流を受けても機能を維持することができる潜堤および潜堤の構築方法に関する。
【背景技術】
【０００２】
２０１１年３月１１日に発生した東北地方太平洋沖地震による大津波は、東北地方と関東地方の太平洋沿岸部に壊滅的な被害をもたらしたが、岩手県の釜石、大船渡も例外ではなく、港では湾口防波堤が倒壊し、大きな被害を受けた。
【０００３】
釜石港の津波防波堤は港の入口に位置し、開口部（延長３００ｍ）を挟み、南側には延長６７０ｍの防波堤（南堤）が設けられ、北側には延長９９０ｍの防波堤（北堤）が設けられ、さらに前記開口部（延長３００ｍ）には海底から水深−１９ｍまで達する潜堤が設けられて構成されている（例えば、非特許文献１参照）。
【０００４】
釜石港の前記津波防波堤は、東北地方太平洋沖地震による大津波により、南北の前記防波堤だけでなく前記開口部（延長３００ｍ）に設けられた潜堤も被害を受け、該潜堤においては、大津波の速い流れと圧力により、ケーソンが捨石マウンド上を滑動したり、捨石マウンド上から転落したりするという被害を受けた。
【先行技術文献】
【非特許文献】
【０００５】
【非特許文献１】「東北地方太平洋沖地震津波による釜石港津波防波堤の被災要因の検討」、社団法人港湾空港技術研究所、平成２３年４月１日、（国土交通省ホームページ報道発表資料「釜石港における津波による被災過程を検証」（平成２３年４月１日）における添付資料の別添３）
【発明の概要】
【発明が解決しようとする課題】
【０００６】
本発明は、かかる被害状況に鑑みてなされたものであって、津波流を受けても機能を維持することができる潜堤および潜堤の構築方法を提供することを課題とする。
【課題を解決するための手段】
【０００７】
本発明は、以下の潜堤および潜堤の構築方法により、前記課題を解決したものである。
【０００８】
即ち、本発明に係る潜堤の第１の態様は、海底に構築された捨石マウンドと、少なくとも一部が該捨石マウンドに根入れされて該捨石マウンドと一体化したフレームと、を備えた潜堤であって、前記フレームは、複数の水流透過性面状部材をお互いに対向するように有するとともに、前記水流透過性面状部材が延びる水平方向と略直交する複数の壁体を有し、さらに上部には水流透過性蓋部材を有し、底部には水流透過性底部材を有しており、前記複数の水流透過性面状部材、前記複数の壁体、前記水流透過性蓋部材、および前記水流透過性底部材によって側方、上方、および下方を囲まれた空間を有し、そして、前記フレームは、前記水流透過性面状部材の延びる水平方向が、想定される津波流が進行する方向と略直交するように前記捨石マウンドに配置されており、側方、上方、および下方を囲まれた前記空間には中詰石が前記水流透過性面状部材および前記水流透過性蓋部材を通過しないように充填されていることを特徴とする潜堤である。
【０００９】
なお、本出願においては、捨石マウンドの表層部を覆う被覆石も捨石マウンドの一部とする。
【００１０】
また、「捨石マウンドと一体化したフレーム」とは、捨石マウンドが崩壊しなければ、想定される津波流の圧力が前記潜堤に作用してもフレームの位置が移動しないような固定状態のフレームのことである。
【００１１】
また、「水流透過性面状部材」とは、面と垂直方向に水流を透過させることができる面状部材のことであり、例えば、長方形の枠材の内側に棒状部材を縦方向または横方向に所定の間隔で配置したものや、長方形の枠材の内側に棒状部材を縦横の両方向に所定の間隔で配置した格子状のものを含む概念である。
【００１２】
また、「複数の水流透過性面状部材をお互いに対向するように有する」とは、お互いに平行な複数の水流透過性面状部材を有する場合は当然含むが、それだけに限られず、複数の水流透過性面状部材が概ね向かい合っていると言える状態も含む。例えば、想定される津波流が進行する方向と略直交する水平方向から前記フレームを見たときの形状（前記壁体を正面から見たときの形状）が等脚台形となる場合において、前記フレームの沖側と陸側の側面（水流透過性面状部材）同士は「対向する」の範疇に含まれるものとする。
【００１３】
また、ここでいう「壁体」とは、壁面に貫通孔を有するものも含み、例えば棒状部材をトラス構造に組んでなる面状部材も含む概念であり、面状部材の全面積（面状部材に貫通孔がないとしたときの全面積）に対して占める貫通孔の面積の割合が例えば９０％以上のものも含む概念である。
【００１４】
側方、上方、および下方を囲まれた前記空間に充填された前記中詰石のうち、前記水流透過性面状部材に接する部位に充填された中詰石は該水流透過性面状部材を通過しない大きさであることが好ましく、前記水流透過性蓋部材に接する部位に充填された中詰石は該水流透過性蓋部材を通過しない大きさであることが好ましい。
【００１５】
本発明に係る潜堤の第２の態様は、海底に構築された捨石マウンドと、少なくとも一部が該捨石マウンドに根入れされて該捨石マウンドと一体化したフレームと、を備えた潜堤であって、前記フレームは、複数の水流透過性面状部材をお互いに対向するように有するとともに、上方向から見たときに前記水流透過性面状部材が延びる水平方向と略直交する複数の壁体を有し、さらに上部には水流透過性蓋部材を有しており、前記複数の水流透過性面状部材、前記複数の壁体、および前記水流透過性蓋部材によって側方および上方を囲まれた空間を有し、そして、前記フレームは、前記水流透過性面状部材の延びる水平方向が、想定される津波流が進行する方向と略直交するように前記捨石マウンドに配置されており、側方および上方を囲まれた前記空間には中詰石が前記水流透過性面状部材および前記水流透過性蓋部材を通過しないように充填されていることを特徴とする潜堤である。
【００１６】
側方および上方を囲まれた前記空間に充填された前記中詰石のうち、前記水流透過性面状部材に接する部位に充填された中詰石は該水流透過性面状部材を通過しない大きさであることが好ましく、前記水流透過性蓋部材に接する部位に充填された中詰石は該水流透過性蓋部材を通過しない大きさであることが好ましい。
【００１７】
前記壁体を前記水流透過性面状部材の延びる水平方向から見たときの形状は、底辺の方が上辺よりも長い略等脚台形であることが好ましい。
【００１８】
前記壁体は、例えば、想定される津波流が進行する方向と略平行に配置された棒状部材、および略鉛直方向に配置されて前記捨石マウンドに根入れされた棒状部材を少なくとも有してなるように構成してもよい。
【００１９】
また、前記壁体を構成する部材を棒状部材とし、前記壁体をトラス構造により形成するようにしてもよい。
【００２０】
前記水流透過性面状部材は、所定の間隔を開けて配置された複数の棒状部材を有してなるように構成してもよい。
【００２１】
前記フレームは鋼製とすることが好ましい。ただし、鉄筋コンクリート（ＲＣ）製の棒状部材や鋼とコンクリートの合成構造（ＳＲＣ構造など）からなる棒状部材を用いることも可能である。
【００２２】
また、前記壁体を構成する部材は、内部にコンクリートが充填されている鋼管であることが好ましい。
【００２３】
また、前記水流透過性面状部材を構成する部材には形鋼を含ませてもよい。
【００２４】
本発明に係る潜堤の構築方法の第１の態様は、少なくとも一部が捨石マウンドに根入れされるように該捨石マウンド上にフレームを設置して潜堤を構築する潜堤の構築方法であって、複数の水流透過性面状部材をお互いに対向するように有するとともに、前記捨石マウンド上に設置した状態において前記水流透過性面状部材が延びる水平方向と略直交する複数の壁体を有し、前記捨石マウンド上に設置した状態において上方向から見たときに水平面内に閉じた形状になっており、さらに前記捨石マウンド上に設置した状態において底部には水流透過性底部材を有し、かつ、上部は開放された側方下方フレームを、水流透過性面状部材が延びる前記水平方向が、想定される津波流が進行する方向と略直交するように前記捨石マウンド上に設置した後、前記側方下方フレームの内側に中詰石を前記水流透過性面状部材を通過しないように上方から投入するとともに、前記捨石マウンド上にもさらに捨石を敷設して、投入した前記中詰石および敷設した前記捨石により前記側方下方フレームの下部の周囲を覆って根入れをし、さらに、投入した前記中詰石が前記側方下方フレームの上部から外に出ないように、前記側方下方フレームの上部を水流透過性蓋部材で覆うことを特徴とする潜堤の構築方法である。
【００２５】
前記側方下方フレームの内側に投入する前記中詰石のうち、前記水流透過性面状部材に接する部位に投入する中詰石は該水流透過性面状部材を通過しない大きさであることが好ましく、前記水流透過性蓋部材に接する部位に投入する中詰石は該水流透過性蓋部材を通過しない大きさであることが好ましい。
【００２６】
なお、本発明に係る潜堤の構築方法の第１の態様で用いる側方下方フレームの上部は開放されているが、ここでいう「開放」は、完全に開放されている状態だけでなく、前記側方下方フレームの内側に前記中詰石を上方から投入できる間隙があれば、前記側方下方フレームの内側上部に例えば棒状部材が配置されているような状態も含む概念である。
【００２７】
本発明に係る潜堤の構築方法の第２の態様は、少なくとも一部が捨石マウンドに根入れされるように該捨石マウンド上にフレームを設置して潜堤を構築する潜堤の構築方法であって、複数の水流透過性面状部材をお互いに対向するように有するとともに、前記捨石マウンド上に設置した状態において前記水流透過性面状部材が延びる水平方向と略直交する複数の壁体を有し、前記捨石マウンド上に設置した状態において上方向から見たときに水平面内に閉じた形状になっており、さらに前記捨石マウンド上に設置した状態において上部は開放された側方フレームを、前記水流透過性面状部材が延びる水平方向が、想定される津波流が進行する方向と略直交するように前記捨石マウンド上に設置した後、前記側方フレームの内側に中詰石を前記水流透過性面状部材を通過しないように上方から投入するとともに、前記捨石マウンド上にもさらに捨石を敷設して、投入した前記中詰石および敷設した前記捨石により前記側方フレームの下部の周囲を覆って根入れをし、さらに、投入した前記中詰石が前記側方フレームの上部から外に出ないように、前記側方フレームの上部を水流透過性蓋部材で覆うことを特徴とする潜堤の構築方法である。
【００２８】
前記側方フレームの内側に投入する前記中詰石のうち、前記水流透過性面状部材に接する部位に投入する中詰石は該水流透過性面状部材を通過しない大きさであることが好ましく、前記水流透過性蓋部材に接する部位に投入する中詰石は該水流透過性蓋部材を通過しない大きさであることが好ましい。
【００２９】
なお、本発明に係る潜堤の構築方法の第２の態様で用いる側方フレームの上部は開放されているが、ここでいう「開放」は、完全に開放されている状態だけでなく、前記側方フレームの内側に前記中詰石を上方から投入できる間隙があれば、前記側方フレームの内側上部に例えば棒状部材が配置されているような状態も含む概念である。
【００３０】
前記潜堤の構築方法において、前記中詰石は、シューターにより前記フレームの内側に投入するようにしてもよい。
【発明の効果】
【００３１】
本発明に係る潜堤は、少なくとも一部が捨石マウンドに根入れされて該捨石マウンドと一体化したフレームを備え、前記フレームの内側には、水流透過性面状部材および水流透過性蓋部材を通過しないように中詰石が充填されているので、津波流を受けても機能を維持することができる。
【図面の簡単な説明】
【００３２】
【図１】本発明の実施形態に係る潜堤の斜視図
【図２】本発明の実施形態における水流透過性面状部材２０の正面図
【図３】本発明の実施形態における壁体２２の正面図
【図４】本発明の実施形態の変形例１における壁体３２の正面図
【図５】本発明の実施形態における水流透過性蓋部材２４の正面図
【図６】本発明の実施形態における水流透過性底部材２６の正面図
【図７】本発明の実施形態の変形例２における壁体３４の正面図
【図８】本発明の実施形態に係る潜堤の施工状況の一例を模式的に示す図
【発明を実施するための形態】
【００３３】
以下、図面を参照して、本発明の実施形態を詳細に説明する。
【００３４】
（１）構成について
図１は、本発明の実施形態に係る潜堤の斜視図である。
【００３５】
本実施形態に係る潜堤１０は、捨石マウンド１２と、鋼製フレーム１４と、中詰石１６と、を備えてなり、捨石マウンド１２に少なくとも一部が根入れされるように捨石マウンド１２上に鋼製フレーム１４が設置された構造で、該鋼製フレーム１４の内側に中詰石１６が充填された構造である。本実施形態においては、鋼製フレーム１４と中詰石１６とからなる構造部分を本体構造部分１８と称することとする。また、以下では、捨石マウンド１２に少なくとも一部が根入れされるように捨石マウンド１２上に鋼製フレーム１４が設置された状態を、「捨石マウンド１２に設置された状態」と記すことがある。
【００３６】
捨石マウンド１２は海底に構築されており、通常の捨石マウンドと同様に、基礎地盤の不陸を補正して構造物の安定を図る役割、構造物の荷重を分散して均等に地盤に伝える役割、構造物に作用する波力を捨石マウンド１２内部と基礎地盤（海底）との間の摩擦力で吸収する役割、波や潮流による構造物底面における地盤の洗掘を防止する役割等を有する。また、捨石マウンド１２は、通常の捨石マウンドと同様に、表層部は被覆石に覆われているが、図１では、捨石と被覆石とを区別することなく同様に描いている。
【００３７】
本実施形態に係る潜堤１０の捨石マウンド１２に用いる捨石および被覆石は特に限定されず、通常の捨石マウンドに用いる捨石および被覆石と同様のものを用いることができる。
【００３８】
鋼製フレーム１４は、水流透過性面状部材２０と、壁体２２と、水流透過性蓋部材２４と、水流透過性底部材２６と、を有してなり、複数の水流透過性面状部材２０をお互いに対向するように有するとともに、捨石マウンド１２に設置された状態において水流透過性面状部材２０が延びる水平方向と略直交する複数の壁体２２を有し、また上部には水流透過性蓋部材２４を有し、底部には水流透過性底部材２６を有しており、複数の水流透過性面状部材２０、複数の壁体２２、水流透過性蓋部材２４、および水流透過性底部材２６によって側方、上方、および下方を囲まれた空間２８を有し、鋼製フレーム１４の内側（空間２８）には中詰石１６が充填されている。より詳細には、水流透過性面状部材２０に接する部位には水流透過性面状部材２０を通過できない大きさの中詰石１６が充填され、水流透過性蓋部材２４に接する部位には水流透過性蓋部材２４を通過できない大きさの中詰石１６が充填されている。
【００３９】
また、鋼製フレーム１４は、捨石マウンド１２に設置された状態において水流透過性面状部材２０の延びる水平方向が、想定される津波流が進行する方向と略直交するように捨石マウンド１２に配置されており、壁体２２は想定される津波流が進行する方向と略平行となるように配置されている。
【００４０】
想定される津波流が進行する方向と直交する水平方向から鋼製フレーム１４を見たときの形状（鋼製フレーム１４の側面（壁体２２）の形状）は、図１に示すように略等脚台形である。
【００４１】
また、後述するように、壁体２２の側辺鋼管６０および鉛直鋼管６２（図３参照）の下部は周囲を中詰石１６および捨石によって覆われて、捨石マウンド１２に根入れされており、これにより、鋼製フレーム１４は捨石マウンド１２と一体化している。
【００４２】
中詰石１６は、鋼製フレーム１４の内側（空間２８）に充填されて、本実施形態に係る潜堤１０の主な構造部分（本体構造部分１８の一部）となり、潜堤としての機能を発揮する役割を有する。
【００４３】
中詰石１６として用いる石材の種類は特に限定されないが、水流透過性面状部材２０に接する位置の中詰石１６は、水流透過性面状部材２０を通過できない大きさであることが好ましく、水流透過性蓋部材２４に接する位置の中詰石１６は、水流透過性蓋部材２４を通過できない大きさであることが好ましい。
【００４４】
ただし、鋼製フレーム１４の内側に充填する中詰石１６は原則として全て水流透過性面状部材２０および水流透過性蓋部材２４を通過できない大きさにして、鋼製フレーム１４の内側における位置に応じて大きさの異なる中詰石１６を使い分ける必要をなくした方が施工性の点では有利となる。
【００４５】
なお、水流透過性面状部材２０に接する位置の個々の中詰石１６の大きさが水流透過性面状部材２０を通過できる大きさであったとしても、複数の中詰石１６によるアーチ効果により水流透過性面状部材２０を通過できないことも考えられるので、水流透過性面状部材２０に接する位置の中詰石１６の大きさを水流透過性面状部材２０を通過できない大きさに全て揃えることは状況によっては必ずしも必要というわけではない。
【００４６】
同様に、水流透過性蓋部材２４に接する位置の個々の中詰石１６の大きさが水流透過性蓋部材２４を通過できる大きさであったとしても、複数の中詰石１６によるアーチ効果により水流透過性蓋部材２４を通過できないことも考えられるので、水流透過性蓋部材２４に接する位置の中詰石１６の大きさを水流透過性蓋部材２４を通過できない大きさに全て揃えることは状況によっては必ずしも必要というわけではない。
【００４７】
図２は、水流透過性面状部材２０の正面図（水流透過性面状部材２０が形成する面と直交する方向から水流透過性面状部材２０を見た図）である。図２に示すように、水流透過性面状部材２０は、鋼管５０と、形鋼５２と、丸鋼５４とからなり、積み上げられた中詰石１６が崩れないように拘束する役割を有する。
【００４８】
縦方向に配置された鋼管５０は等脚台形の壁体２２の側辺材（図３に示す側辺鋼管６０）と共通する部材であり、下部は捨石マウンド１２に根入れされている。また、２本の鋼管５０の間に５本の形鋼５２がおおよそ等間隔で水平方向に配置されており、さらに、２本の鋼管５０の間に鋼管５０と平行に６本の丸鋼５４がおおよそ等間隔で縦方向に配置されている。
【００４９】
鋼管５０内にコンクリートを充填することにより、中詰石１６を鋼製フレーム１４の内側に投入する際の衝撃に対して強くなり、鋼材が損傷しにくくなるので、鋼管５０内にコンクリートを充填することが好ましい。ただし、鋼管５０に替えて形鋼を用いることができないわけでなく、安全性を照査した上で鋼管５０に替えて形鋼を用いることも可能である。
【００５０】
なお、図２では、鋼管５０は３本しか描いていないが、鋼管５０の数は、潜堤１０の必要な延長距離に応じて任意に増やすことができる。
【００５１】
また、水流透過性面状部材２０は、面と垂直方向に水流を透過させることができ、かつ、積み上げられた中詰石１６が崩れないように拘束する機能を有する面状部材であればよく、この条件を満たすものであれば、形状や材質は必ずしも限定されない。
【００５２】
図２では、２本の鋼管５０の間の形鋼５２を５本とし、２本の鋼管５０の間の丸鋼５４を６本としたが、これらの本数は一例であり、これらの本数に限定されるわけではない。また、中詰石１６が崩れないように拘束する機能を確保できるのであれば、例えば、図２における５本の形鋼５２のうち最上段と最下段の２本のみ残し、他の３本は省略してもよい。また、図２における形鋼５２に替えて丸鋼を用いてもよく、図２における丸鋼５４に替えて形鋼を用いてもよい。また、形鋼５２の数を増やし、形鋼５２の間の間隔を小さくすることで、丸鋼５４を省略するようにしてもよい。また、この場合に、形鋼５２に替えて丸鋼を用いてもよい。
【００５３】
ただし、中詰石１６を鋼製フレーム１４の内側に投入する際の衝撃を考えると、水流透過性面状部材２０の材質は靭性に優れる材質が好ましく、水流透過性面状部材２０には鋼材を用いることが好ましい。特に捨石マウンド１２に根入れされている部材は本体構造部分１８の安定性を確保する上で重要であるので、前述したように鋼管とし、該鋼管内にはコンクリートを充填しておくことが好ましい。
【００５４】
図３は、壁体２２の正面図（壁体２２が形成する面と直交する方向から壁体２２を見た図）である。図３に示すように、壁体２２は、側辺鋼管６０（水流透過性面状部材２０の鋼管５０と共通。）と、鉛直鋼管６２と、水平鋼管６４と、ブレース鋼管６６とからなり、これらの鋼管がトラス構造を形成しており、壁体２２を正面から見た形状は略等脚台形である。また、側辺鋼管６０および鉛直鋼管６２の下部は、周囲を中詰石１６および捨石によって覆われて捨石マウンド１２に根入れされており、これにより鋼製フレーム１４は捨石マウンド１２と一体化している。さらに、壁体２２が形成する面（側辺鋼管６０、鉛直鋼管６２、水平鋼管６４、ブレース鋼管６６の全てが含まれる平面）が想定される津波流が進行する方向と平行になるように、鋼製フレーム１４は捨石マウンド１２に配置されており、沖合からの津波流に対して壁体２２のトラス構造で抵抗できるような配置となっている。
【００５５】
したがって、壁体２２は、津波流を受けても位置および形状を保持することができ、壁体２２は、津波流に対して本体構造部分１８の位置が移動したり、崩壊したりすることを防ぐ役割を有している。
【００５６】
このように、壁体２２は、津波流に対して本体構造部分１８の安定性を確保する上で重要な部位であり、壁体２２を構成する側辺鋼管６０、鉛直鋼管６２、水平鋼管６４、ブレース鋼管６６の全てにおいて内部にコンクリートを充填しておき、中詰石１６を鋼製フレーム１４の内側に投入する際の衝撃に対して強くしておくことが好ましい。また、鋼管を用いることにより、形鋼を用いた場合よりも断面効率が良くなり、防食面積も小さくなる。ただし、鋼管に替えて形鋼を用いることができないわけでなく、安全性を照査した上で鋼管に替えて形鋼を用いることも可能であり、あるいはまた、鉄筋コンクリート（ＲＣ）製の棒状部材や鋼とコンクリートの合成構造（ＳＲＣ構造など）からなる棒状部材を用いることも可能である。
【００５７】
なお、壁体２２は必ずしもトラス構造で形成しなくてもよく、例えば鋼管同士の接点を剛結してラーメン構造にしてもよい。
【００５８】
また、本実施形態における壁体２２の側辺鋼管６０はまっすぐな直線状の鋼管であるが、これに替えて、例えば図４に示す壁体３２のように、外側に凸に湾曲した湾曲鋼管６８を用いてもよい（変形例１）。この変形例１において、湾曲鋼管６８以外の鋼管については、それぞれ壁体２２の鉛直鋼管６２、水平鋼管６４、ブレース鋼管６６と同様の形状および機能を有しているので、図４に示す壁体３２の湾曲鋼管６８以外の鋼管では、壁体２２（図３参照）の対応する鋼管と同様の番号を付している。
【００５９】
なお、変形例１における鋼製フレーム１４では、外側に凸に湾曲した湾曲鋼管６８を有する壁体３２を備えることになるので、水流透過性面状部材２０は、湾曲鋼管６８の形状に合わせて外側に凸に湾曲させた曲面形状にする。
【００６０】
図５は、水流透過性蓋部材２４の正面図（水流透過性蓋部材２４が形成する面と直交する方向から（真上から）水流透過性蓋部材２４を見た図）である。水流透過性蓋部材２４は、図１に示す状態において水流透過性面状部材２０が延びる水平方向と直交する水平方向（想定される津波流が進行する水平方向）に配置された形鋼７０と、形鋼７０と直交する水平方向に配置された形鋼７２と、形鋼７０と平行な水平方向に配置された丸鋼７４とからなり、津波流による速い水流を受けたときの揚力で、積み上げられた中詰石１６が鋼製フレーム１４の上部から外部に放出されないように蓋をする役割を有する。
【００６１】
水流透過性蓋部材２４は、面と垂直方向に水流を透過させることができ、かつ、積み上げられた中詰石１６が鋼製フレーム１４の上部から外部に放出されないように蓋をする機能を有する面状部材であればよく、この条件を満たすものであれば、形状や材質は必ずしも限定されない。
【００６２】
図５では、２本の形鋼７０の間の形鋼７２を６本とし、２本の形鋼７０の間の丸鋼７４を４本としたが、これらの本数は一例であり、これらの本数に限定されるわけではない。また、中詰石１６が鋼製フレーム１４の上部から外部に放出されないように蓋をする機能を確保できるのであれば、例えば、図５における６本の形鋼７２のうち最上段と最下段の２本のみ残し、他の４本は省略してもよい。また、図５における形鋼７２に替えて丸鋼を用いてもよく、図５における丸鋼７４に替えて形鋼を用いてもよい。また、形鋼７２の数を増やし、形鋼７２の間の間隔を小さくすることで、丸鋼７４を省略するようにしてもよい。また、この場合に、形鋼７２に替えて丸鋼を用いてもよい。
【００６３】
なお、図５では、１つの水流透過性蓋部材２４あたり３本の形鋼７０を描いているが、形鋼７０の数は、１つの水流透過性蓋部材２４あたり２本としても４本以上としてもよい。ただし、水流透過性蓋部材２４の取り付けは、中詰石１６の投入終了後に水中作業にて取り付けるので、施工性を考慮すると水流透過性蓋部材２４の大きさが大きくなりすぎないように留意する。
【００６４】
図６は、水流透過性底部材２６の正面図（水流透過性底部材２６が形成する面と直交する方向から（真上から）水流透過性底部材２６を見た図）である。水流透過性底部材２６は、図１に示す状態において水流透過性面状部材２０が延びる水平方向と直交する水平方向（想定される津波流が進行する水平方向）に配置された鋼管７６（壁体２２の水平鋼管６４と共通。）と、鋼管７６と直交する水平方向に配置された形鋼７８（水流透過性面状部材２０の形鋼５２と共通。）とからなる長方形の枠内に、鋼管７６に平行な丸鋼８０と、形鋼７８に平行な形鋼７９とが格子状に配置された形状である。
【００６５】
水流透過性底部材２６は、上方から中詰石１６の重量を受けて固定されることにより、鋼製フレーム１４全体の位置を固定する機能を有すればよく、この条件を満たすものであれば、形状や材質は必ずしも限定されない。
【００６６】
図６では、鋼管７６と形鋼７８とで形成される長方形の枠内に、丸鋼８０と形鋼７９とを格子状に配置したが、これは一例であり、このような配置に限定されるわけではない。
【００６７】
水流透過性底部材２６の材質については、中詰石１６を鋼製フレーム１４の内側に投入する際の衝撃を考えると、靭性に優れる材質が好ましく、水流透過性底部材２６には鋼材を用いることが好ましい。ただし、水流透過性面状部材２０や壁体２２と同様に、鉄筋コンクリート構造（ＲＣ構造）や鋼とコンクリートの合成構造（ＳＲＣ構造など）からなる棒状部材を用いることもできる。
【００６８】
なお、想定される津波流や設置する地形等の条件によっては、水流透過性底部材２６を設けなくても潜堤の安定性を確保できる場合も考えられる。照査の結果、潜堤の安定性を確保できることを確認できた場合には、水流透過性底部材２６を省略してもよい。
【００６９】
（２）特徴部分および効果について
前記（１）により本実施形態に係る潜堤１０の構成について一通り説明したが、ここでは、本実施形態に係る潜堤１０の主要な特徴および効果に焦点を当ててさらに詳細に説明する。
【００７０】
本実施形態に係る潜堤１０の１つ目の特徴は、鋼製フレーム１４の一部が捨石マウンド１２に根入れされて鋼製フレーム１４と捨石マウンド１２とが一体化している根入れ効果であり、２つ目の特徴は、本体構造部分１８に中詰石１６を用いることにより、水流が本体構造部分１８を貫通して透過できるようにした水流透過効果であり、３つ目の特徴は、
壁体２２を正面から見たときの形状（想定される津波流が進行する方向と直交する水平方向から鋼製フレーム１４を見たときの形状）が略等脚台形となっており、本体構造部分１８の沖側および陸側の側面が傾斜面となっていることによる傾斜効果である。これらの３つの効果について、順に説明する。
【００７１】
（２−１）根入れ効果
前述したように、壁体２２の側辺鋼管６０および鉛直鋼管６２の下部は、捨石マウンド１２に根入れされており、これにより鋼製フレーム１４は捨石マウンド１２と一体化している。このため、本実施形態に係る潜堤１０が津波流を受けても、潜堤としての機能は維持されやすい。
【００７２】
これに対して、捨石マウンド上にケーソンを設置した従来の構造形式では、ケーソンの位置を保持する機能は主にケーソンの自重のみによっている。このため、捨石マウンド上にケーソンを設置した従来の構造形式では、津波流に対して位置を保持する機能が弱く、津波流を受けると、ケーソンが捨石マウンド上を滑動したり、捨石マウンド上から転落したりして、潜堤としての機能を維持できなくなるおそれがある。
【００７３】
また、従来の構造としては、捨石マウンド上に消波ブロックを配置した構造形式もあるが、この構造形式も消波ブロックの位置を保持する機能は主に消波ブロックの自重のみによっている。このため、捨石マウンド上に消波ブロックを設置した従来の構造形式では、津波流に対して位置を保持する機能が弱く、津波流を受けると、消波ブロックが捨石マウンド上を滑動したり、捨石マウンド上から転落したりして、潜堤としての機能を維持できなくなるおそれがある。
【００７４】
なお、本実施形態に係る潜堤１０では、前述したように、壁体２２の側辺鋼管６０および鉛直鋼管６２の下部を捨石マウンド１２に根入れして、鋼製フレーム１４を捨石マウンド１２と一体化して、津波流を受けても潜堤としての機能が維持されやすいようにしているが、この根入れ効果をさらに高めるべく、捨石マウンド１２の下の基礎地盤に達するまで杭を打ち、該杭と鋼製フレーム１４を連結して鋼製フレーム１４を固定するようにしてもよい。このようにした場合、鋼製フレーム１４は杭により強力に固定される。
【００７５】
（２−２）水流透過効果
本実施形態に係る潜堤１０の本体構造部分１８は、鋼製フレーム１４の内側に中詰石１６が充填されて構成されており、中詰石１６が体積の大部分を占める。鋼製フレーム１４の水流透過性面状部材２０は、前述したように、面と垂直方向に水流を透過させることができる。また、中詰石１６を積み上げた構造においては、中詰石１６同士の間には必然的にかなりの空隙（本体構造部分１８の全体積に対して相当な程度の体積比の空隙）が存在することとなる。
【００７６】
このため、本実施形態に係る潜堤１０の本体構造部分１８は、津波流を受けても、該津波流による圧力を全て受け止めるわけではなく、受けた津波流のうちの少なからざる割合を反対側（陸側）に透過させる。
【００７７】
したがって、本実施形態に係る潜堤１０が津波流を受けても、本体構造部分１８に加わる水平力は、ケーソンのような水流を透過させない従来の構造形式よりも小さくなる。このため、本実施形態に係る潜堤１０が津波流を受けても、潜堤としての機能は維持されやすい。
【００７８】
また、捨石マウンド上にケーソンを設置した従来の構造形式においては、飛行機の翼が空気の流れによって揚力を受けるように、津波流による速い水流によってケーソンに大きな揚力が働くと考えられる。
【００７９】
一方、本実施形態に係る潜堤１０の本体構造部分１８は上下方向にも水流をかなり通すことができるので、本体構造部分１８にはケーソンの場合のような大きな揚力は働かない。
【００８０】
この点からも、本実施形態に係る潜堤１０の本体構造部分１８は津波流を受けても位置を保持しやすく、本実施形態に係る潜堤１０が津波流を受けても、潜堤としての機能を維持しやすい。
【００８１】
なお、以上の説明では、沖合からの津波流を念頭に置いて説明をしたが、本実施形態に係る潜堤１０は、陸からの引き波に対しても同様の効果を発揮することができる。
【００８２】
以上説明したように、本実施形態に係る潜堤１０の本体構造部分１８は、津波流および陸からの引き波を反対側に透過させて津波流および陸からの引き波から受ける水平力を小さくする機能と、津波流および陸からの引き波による速い水流による揚力をほとんど発生させない機能を有しているが、これらの機能は本体構造部分１８の体積の多くの部分を中詰石１６が占めていることが大きな役割を果たしている。一方、１つ１つの中詰石１６は従来のケーソンと比べて質量は格段に小さいため、流れの速い場所での安定性が懸念される。しかしながら、１つ１つの中詰石１６は従来のケーソンと比べて質量は格段に小さいが、鋼製フレーム１４によって大きなブロックとしてまとめられているので、全体としてはケーソンと同様の質量効果を発揮することができ、本実施形態に係る潜堤１０の本体構造部分１８は、質量の観点からも、流れの速い場所での安定性を備えている。
【００８３】
（２−３）傾斜効果
本実施形態に係る潜堤１０においては、水流透過性面状部材２０が延びる水平方向から見た鋼製フレーム１４の形状（壁体２２を正面から見た形状）は略等脚台形であり、水流透過性面状部材２０が水平面となす角が９０°未満となっており、このため、津波流を受けても水流をある程度受け流すことができるという効果（以下、傾斜効果と記すことがある。）を得ることができる。
【００８４】
これに対して、捨石マウンド上にケーソンを設置した従来の構造形式では、ケーソンの側面は傾斜しておらず、鉛直であり、本実施形態に係る潜堤１０のような津波流を受け流す効果は得られない。
【００８５】
なお、陸を遡上した津波による引き波による水流もかなりの速さを有しているので、水流透過性面状部材２０のうち、沖に向いた側のみを水平面とのなす角が９０°未満となるようにするのではなく、陸に向いた側も水平面とのなす角が９０°未満となるようにすることが好ましい。即ち、本実施形態のように、想定される津波流が進行する方向と直交する水平方向から鋼製フレーム１４を見たときの形状（鋼製フレーム１４の側面（壁体２２）の形状）は、側辺と底辺とのなす角が９０°未満の略等脚台形であることが好ましい。
【００８６】
また、本実施形態に係る潜堤１０においては、前述したような（１）、（２）の効果が得られるので、想定される津波流の強さ、潜堤を設置する位置と地形との関係、潜堤に要求される性能等によっては、津波流を受け流す傾斜効果が得られなくても安全性を確保できる場合も考えられる。このような場合は、水流透過性面状部材２０が水平面とのなす角を９０°未満としなくてもよく、水流透過性面状部材２０が延びる水平方向から見た鋼製フレーム１４の形状（壁体を正面から見た形状）を例えば略長方形にしてもよい（変形例２）。
【００８７】
図７は、この変形例２における壁体３４の正面図（壁体３４が形成する面と直交する方向から壁体３４を見た図）である。壁体３４は形状が略長方形である点以外は形状が略等脚台形である壁体２２と同様であり、側辺鋼管８２と、鉛直鋼管８４と、水平鋼管８６と、ブレース鋼管８８とからなり、これらの鋼管がトラス構造を形成している。
【００８８】
（２−４）まとめ
以上、（２−１）〜（２−３）で本実施形態に係る潜堤１０の３つの主要な特徴および効果について説明したように、本実施形態に係る潜堤１０において得られる効果は、従来の構造形式よりも格段に優れる。
【００８９】
一方、本実施形態に係る潜堤１０の主たる構造は、図１に示すように、捨石マウンド１２に少なくとも一部が根入れされるように捨石マウンド１２上に鋼製フレーム１４を設置して、該鋼製フレーム１４の内側に中詰石１６を充填した構造であり、簡易な構造である。また、用いる材料も、鋼製フレーム１４の鋼材以外は、主に捨石マウンド１２の捨石と、中詰石１６とであり、安価である。
【００９０】
したがって、本実施形態に係る潜堤１０は、費用対効果が極めて優れた構造形式であるといえる。
【００９１】
なお、本実施形態に係る潜堤１０が（２−１）〜（２−３）で説明した効果を奏することは、水理実験で確認済みである。
【００９２】
（３）施工手順について
最後に、本実施形態に係る潜堤１０を構築する施工手順について説明する。図８は、本実施形態に係る潜堤１０の施工状況の一例を模式的に示す図である。
【００９３】
まず、潜堤１０を構築する海底上に捨石マウンドを設置する。水流透過性蓋部材２４を除いた鋼製フレーム１４（水流透過性面状部材２０、壁体２２、および水流透過性底部材２６からなる鋼製フレームであり、以下、側方下方フレーム１５と称する。）を設置する前の捨石マウンドを、潜堤１０の完成後の捨石マウンド１２と区別するために、ここでは側方下方フレーム１５を設置する前の捨石マウンドを初期捨石マウンドと称することとする。初期捨石マウンドの設置は現状の捨石マウンド設置の一般的な方法に従って行えばよいので説明は省略する。ただし、側方下方フレーム１５を初期捨石マウンド上に設置した後、側方下方フレーム１５の内側に中詰石１６を充填するとともに、さらに初期捨石マウンド上に捨石および被覆石を設置して、側方下方フレーム１５を捨石マウンド１２に根入れするので、側方下方フレーム１５を初期捨石マウンド上に設置後に初期捨石マウンド上に設置する捨石および被覆石の量に相当する分だけ、初期捨石マウンドの捨石の量は、潜堤１０の完成後の捨石マウンド１２よりも少なくする。
【００９４】
海底上への初期捨石マウンドの設置完了後、クレーン等を用いて側方下方フレーム１５を初期捨石マウンドの所定の位置に設置する。その際、上方向から見たときに水流透過性面状部材２０の延びる水平方向が、想定される津波流が進行する方向と略直交するように初期捨石マウンド上に設置することに留意する。なお、側方下方フレーム１５を初期捨石マウンドの所定の位置に設置した状態を上方向から見たとき、側方下方フレーム１５は水平面内に閉じた形状になっており、初期捨石マウンド上に設置した状態において底部には水流透過性底部材２６が位置する。
【００９５】
初期捨石マウンド上への側方下方フレーム１５の設置完了後、側方下方フレーム１５の内側に中詰石１６を充填するとともに、初期捨石マウンド上にさらに捨石および被覆石を設置して、側方下方フレーム１５を捨石マウンド１２に根入れする。
【００９６】
側方下方フレーム１５の内側へ中詰石１６を充填する際には、例えば図８に示すように、シューター９０を用いて側方下方フレーム１５の内側へ上方から中詰石１６を充填することができる。すでに側方下方フレーム１５が初期捨石マウンド上へ設置されているので、蛇かご等で予め中詰石１６をブロック化しておく必要はない。
【００９７】
側方下方フレーム１５の内側への中詰石１６の充填完了後、水流透過性蓋部材２４を水流透過性面状部材２０および壁体２２に水中作業で取り付け、充填された中詰石１６の上部を水流透過性蓋部材２４で覆って、鋼製フレーム１４を完成させて、潜堤１０を完成させる。
【００９８】
以上説明した施工手順では、水流透過性面状部材２０、壁体２２、および水流透過性底部材２６からなる側方下方フレーム１５を用いており、完成した潜堤１０（鋼製フレーム１４）は水流透過性底部材２６も有しているが、照査の結果、潜堤の安定性（安全性）を確保できることを確認できた場合には、水流透過性底部材２６を省略してもよく、水流透過性底部材２６を省略する場合は、水流透過性面状部材２０および壁体２２からなる鋼製フレーム（以下、側方フレームと称する。）を用いて、側方下方フレーム１５を用いた場合と同様の施工を行えばよい。
【００９９】
なお、側方フレームを初期捨石マウンドの所定の位置に設置した状態を上方向から見たとき、側方フレームは水平面内に閉じた形状になっているが、側方下方フレーム１５とは異なり、水流透過性底部材２６を有しない。
【符号の説明】
【０１００】
１０…潜堤
１２…捨石マウンド
１４…鋼製フレーム
１５…側方下方フレーム
１６…中詰石
１８…本体構造部分
２０…水流透過性面状部材
２２、３２、３４…壁体
２４…水流透過性蓋部材
２６…水流透過性底部材
２８…空間
５０、７６…鋼管
５２、７０、７２、７８、７９…形鋼
５４、７４、８０…丸鋼
６０、８２…側辺鋼管
６２、８４…鉛直鋼管
６４、８６…水平鋼管
６６、８８…ブレース鋼管
６８…湾曲鋼管
９０…シューター
【図１】
2014084698.tif 000003
【図２】
2014084698.tif 000004
【図３】
2014084698.tif 000005
【図４】
2014084698.tif 000006
【図５】
2014084698.tif 000007
【図６】
2014084698.tif 000008
【図７】
2014084698.tif 000009
【図８】
2014084698.tif 000010
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
少なくとも一部が捨石マウンドに根入れされるように該捨石マウンド上にフレームを設置して潜堤を構築する潜堤の構築方法であって、
複数の水流透過性面状部材をお互いに対向するように有するとともに、前記捨石マウンド上に設置した状態において前記水流透過性面状部材が延びる水平方向と略直交する複数の壁体を有し、前記捨石マウンド上に設置した状態において上方向から見たときに水平面内に閉じた形状になっており、さらに前記捨石マウンド上に設置した状態において底部には水流透過性底部材を有し、かつ、上部は開放された側方下方フレームを、水流透過性面状部材が延びる前記水平方向が、想定される津波流が進行する方向と略直交するように前記捨石マウンド上に設置した後、
前記側方下方フレームの内側に中詰石を前記水流透過性面状部材を通過しないように上方から投入するとともに、前記捨石マウンド上にもさらに捨石を敷設して、投入した前記中詰石および敷設した前記捨石により前記側方下方フレームの下部の周囲を覆って根入れをし、
さらに、投入した前記中詰石が前記側方下方フレームの上部から外に出ないように、前記側方下方フレームの上部を水流透過性蓋部材で覆うことを特徴とする潜堤の構築方法。
【請求項２】
前記側方下方フレームの内側に投入する前記中詰石のうち、前記水流透過性面状部材に接する部位に投入する中詰石は該水流透過性面状部材を通過しない大きさであり、前記水流透過性蓋部材に接する部位に投入する中詰石は該水流透過性蓋部材を通過しない大きさであることを特徴とする請求項１に記載の潜堤の構築方法。
【請求項３】
少なくとも一部が捨石マウンドに根入れされるように該捨石マウンド上にフレームを設置して潜堤を構築する潜堤の構築方法であって、
複数の水流透過性面状部材をお互いに対向するように有するとともに、前記捨石マウンド上に設置した状態において前記水流透過性面状部材が延びる水平方向と略直交する複数の壁体を有し、前記捨石マウンド上に設置した状態において上方向から見たときに水平面内に閉じた形状になっており、さらに前記捨石マウンド上に設置した状態において上部は開放された側方フレームを、前記水流透過性面状部材が延びる水平方向が、想定される津波流が進行する方向と略直交するように前記捨石マウンド上に設置した後、
前記側方フレームの内側に中詰石を前記水流透過性面状部材を通過しないように上方から投入するとともに、前記捨石マウンド上にもさらに捨石を敷設して、投入した前記中詰石および敷設した前記捨石により前記側方フレームの下部の周囲を覆って根入れをし、
さらに、投入した前記中詰石が前記側方フレームの上部から外に出ないように、前記側方フレームの上部を水流透過性蓋部材で覆うことを特徴とする潜堤の構築方法。
【請求項４】
前記側方フレームの内側に投入する前記中詰石のうち、前記水流透過性面状部材に接する部位に投入する中詰石は該水流透過性面状部材を通過しない大きさであり、前記水流透過性蓋部材に接する部位に投入する中詰石は該水流透過性蓋部材を通過しない大きさであることを特徴とする請求項３に記載の潜堤の構築方法。
【請求項５】
前記中詰石を、シューターにより投入することを特徴とする請求項１〜４のいずれかに記載の潜堤の構築方法。
【手続補正３】
【補正対象書類名】明細書
【補正対象項目名】０００１
【補正方法】変更
【補正の内容】
【０００１】
本発明は、潜堤の構築方法に関し、特に、津波流を受けても機能を維持することができる潜堤の構築方法に関する。
【手続補正４】
【補正対象書類名】明細書
【補正対象項目名】０００６
【補正方法】変更
【補正の内容】
【０００６】
本発明は、かかる被害状況に鑑みてなされたものであって、津波流を受けても機能を維持することができる潜堤の構築方法を提供することを課題とする。
【手続補正５】
【補正対象書類名】明細書
【補正対象項目名】０００７
【補正方法】変更
【補正の内容】
【０００７】
本発明は、以下の潜堤の構築方法により、前記課題を解決したものである。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００３０
【補正方法】変更
【補正の内容】
【００３０】
前記潜堤の構築方法において、前記中詰石は、シューターにより前記フレームの内側に投入するようにしてもよい。
本発明に係る潜堤の構築方法の第１の態様を用いて構築され得る潜堤は、例えば、海底に構築された捨石マウンドと、少なくとも一部が該捨石マウンドに根入れされて該捨石マウンドと一体化したフレームと、を備えた潜堤であって、前記フレームは、複数の水流透過性面状部材をお互いに対向するように有するとともに、前記水流透過性面状部材が延びる水平方向と略直交する複数の壁体を有し、さらに上部には水流透過性蓋部材を有し、底部には水流透過性底部材を有しており、前記複数の水流透過性面状部材、前記複数の壁体、前記水流透過性蓋部材、および前記水流透過性底部材によって側方、上方、および下方を囲まれた空間を有し、そして、前記フレームは、前記水流透過性面状部材の延びる水平方向が、想定される津波流が進行する方向と略直交するように前記捨石マウンドに配置されており、側方、上方、および下方を囲まれた前記空間には中詰石が前記水流透過性面状部材および前記水流透過性蓋部材を通過しないように充填されていることを特徴とする潜堤である。
なお、本出願においては、捨石マウンドの表層部を覆う被覆石も捨石マウンドの一部とする。
また、「捨石マウンドと一体化したフレーム」とは、捨石マウンドが崩壊しなければ、想定される津波流の圧力が前記潜堤に作用してもフレームの位置が移動しないような固定状態のフレームのことである。
また、「水流透過性面状部材」とは、面と垂直方向に水流を透過させることができる面状部材のことであり、例えば、長方形の枠材の内側に棒状部材を縦方向または横方向に所定の間隔で配置したものや、長方形の枠材の内側に棒状部材を縦横の両方向に所定の間隔で配置した格子状のものを含む概念である。
また、「複数の水流透過性面状部材をお互いに対向するように有する」とは、お互いに平行な複数の水流透過性面状部材を有する場合は当然含むが、それだけに限られず、複数の水流透過性面状部材が概ね向かい合っていると言える状態も含む。例えば、想定される津波流が進行する方向と略直交する水平方向から前記フレームを見たときの形状（前記壁体を正面から見たときの形状）が等脚台形となる場合において、前記フレームの沖側と陸側の側面（水流透過性面状部材）同士は「対向する」の範疇に含まれるものとする。
また、ここでいう「壁体」とは、壁面に貫通孔を有するものも含み、例えば棒状部材をトラス構造に組んでなる面状部材も含む概念であり、面状部材の全面積（面状部材に貫通孔がないとしたときの全面積）に対して占める貫通孔の面積の割合が例えば９０％以上のものも含む概念である。
側方、上方、および下方を囲まれた前記空間に充填された前記中詰石のうち、前記水流透過性面状部材に接する部位に充填された中詰石は該水流透過性面状部材を通過しない大きさであることが好ましく、前記水流透過性蓋部材に接する部位に充填された中詰石は該水流透過性蓋部材を通過しない大きさであることが好ましい。
本発明に係る潜堤の構築方法の第２の態様を用いて構築され得る潜堤は、例えば、海底に構築された捨石マウンドと、少なくとも一部が該捨石マウンドに根入れされて該捨石マウンドと一体化したフレームと、を備えた潜堤であって、前記フレームは、複数の水流透過性面状部材をお互いに対向するように有するとともに、前記水流透過性面状部材が延びる水平方向と略直交する複数の壁体を有し、さらに上部には水流透過性蓋部材を有しており、前記複数の水流透過性面状部材、前記複数の壁体、および前記水流透過性蓋部材によって側方および上方を囲まれた空間を有し、そして、前記フレームは、前記水流透過性面状部材の延びる水平方向が、想定される津波流が進行する方向と略直交するように前記捨石マウンドに配置されており、側方および上方を囲まれた前記空間には中詰石が前記水流透過性面状部材および前記水流透過性蓋部材を通過しないように充填されていることを特徴とする潜堤である。
側方および上方を囲まれた前記空間に充填された前記中詰石のうち、前記水流透過性面状部材に接する部位に充填された中詰石は該水流透過性面状部材を通過しない大きさであることが好ましく、前記水流透過性蓋部材に接する部位に充填された中詰石は該水流透過性蓋部材を通過しない大きさであることが好ましい。
前記壁体を前記水流透過性面状部材の延びる水平方向から見たときの形状は、底辺の方が上辺よりも長い略等脚台形であることが好ましい。
前記壁体は、例えば、想定される津波流が進行する方向と略平行に配置された棒状部材、および略鉛直方向に配置されて前記捨石マウンドに根入れされた棒状部材を少なくとも有してなるように構成してもよい。
また、前記壁体を構成する部材を棒状部材とし、前記壁体をトラス構造により形成するようにしてもよい。
前記水流透過性面状部材は、所定の間隔を開けて配置された複数の棒状部材を有してなるように構成してもよい。
前記フレームは鋼製とすることが好ましい。ただし、鉄筋コンクリート（ＲＣ）製の棒状部材や鋼とコンクリートの合成構造（ＳＲＣ構造など）からなる棒状部材を用いることも可能である。
また、前記壁体を構成する部材は、内部にコンクリートが充填されている鋼管であることが好ましい。
また、前記水流透過性面状部材を構成する部材には形鋼を含ませてもよい。
【手続補正２３】
【補正対象書類名】明細書
【補正対象項目名】００３１
【補正方法】変更
【補正の内容】
【００３１】
本発明に係る潜堤の構築方法を用いて構築され得る潜堤は、少なくとも一部が捨石マウンドに根入れされて該捨石マウンドと一体化したフレームを備え、前記フレームの内側には、水流透過性面状部材および水流透過性蓋部材を通過しないように中詰石が充填されているので、津波流を受けても機能を維持することができる。
【手続補正２４】
【補正対象書類名】明細書
【補正対象項目名】００３２
【補正方法】変更
【補正の内容】
【００３２】
【図１】本発明の実施形態に係る潜堤の構築方法を用いて構築され得る潜堤の一例の斜視図
【図２】前記潜堤における水流透過性面状部材２０の正面図
【図３】前記潜堤における壁体２２の正面図
【図４】前記潜堤の変形例１における壁体３２の正面図
【図５】前記潜堤における水流透過性蓋部材２４の正面図
【図６】前記潜堤における水流透過性底部材２６の正面図
【図７】前記潜堤の変形例２における壁体３４の正面図
【図８】本発明の実施形態に係る潜堤の構築方法における施工状況の一例を模式的に示す図
【手続補正２５】
【補正対象書類名】明細書
【補正対象項目名】００３４
【補正方法】変更
【補正の内容】
【００３４】
（１）構成について
図１は、本発明の実施形態に係る潜堤の構築方法を用いて構築され得る潜堤の一例を示す斜視図である。
【手続補正２６】
【補正対象書類名】明細書
【補正対象項目名】００３５
【補正方法】変更
【補正の内容】
【００３５】
本実施形態に係る潜堤の構築方法を用いて構築され得る潜堤１０（以下、単に「本実施形態に係る潜堤１０」と記すことがある。）は、捨石マウンド１２と、鋼製フレーム１４と、中詰石１６と、を備えてなり、捨石マウンド１２に少なくとも一部が根入れされるように捨石マウンド１２上に鋼製フレーム１４が設置された構造で、該鋼製フレーム１４の内側に中詰石１６が充填された構造である。本実施形態に係る潜堤１０においては、鋼製フレーム１４と中詰石１６とからなる構造部分を本体構造部分１８と称することとする。また、以下では、捨石マウンド１２に少なくとも一部が根入れされるように捨石マウンド１２上に鋼製フレーム１４が設置された状態を、「捨石マウンド１２に設置された状態」と記すことがある。
【手続補正２７】
【補正対象書類名】明細書
【補正対象項目名】００５８
【補正方法】変更
【補正の内容】
【００５８】
また、本実施形態に係る潜堤１０における壁体２２の側辺鋼管６０はまっすぐな直線状の鋼管であるが、これに替えて、例えば図４に示す壁体３２のように、外側に凸に湾曲した湾曲鋼管６８を用いてもよい（変形例１）。この変形例１において、湾曲鋼管６８以外の鋼管については、それぞれ壁体２２の鉛直鋼管６２、水平鋼管６４、ブレース鋼管６６と同様の形状および機能を有しているので、図４に示す壁体３２の湾曲鋼管６８以外の鋼管では、壁体２２（図３参照）の対応する鋼管と同様の番号を付している。
【手続補正２８】
【補正対象書類名】明細書
【補正対象項目名】００７４
【補正方法】削除
【補正の内容】
【手続補正２９】
【補正対象書類名】明細書
【補正対象項目名】００８５
【補正方法】変更
【補正の内容】
【００８５】
なお、陸を遡上した津波による引き波による水流もかなりの速さを有しているので、水流透過性面状部材２０のうち、沖に向いた側のみを水平面とのなす角が９０°未満となるようにするのではなく、陸に向いた側も水平面とのなす角が９０°未満となるようにすることが好ましい。即ち、本実施形態に係る潜堤１０のように、想定される津波流が進行する方向と直交する水平方向から鋼製フレーム１４を見たときの形状（鋼製フレーム１４の側面（壁体２２）の形状）は、側辺と底辺とのなす角が９０°未満の略等脚台形であることが好ましい。
【手続補正３０】
【補正対象書類名】明細書
【補正対象項目名】００９２
【補正方法】変更
【補正の内容】
【００９２】
（３）施工手順について
最後に、本実施形態に係る潜堤の構築方法における施工手順について説明する。図８は、本実施形態に係る潜堤１０の施工状況の一例を模式的に示す図である。